(57)【特許請求の範囲】
【請求項１】
ヘリコイドねじ谷部と、該ヘリコイドねじ谷部から連続する円周方向の溝部とを内周に有する第１筒部材と、前記ヘリコイドねじ谷部に螺合し、かつ前記円周方向の溝部に係合するヘリコイドねじ山部を外周に有する第２筒部材とを備えたレンズ鏡胴であって、
前記第２筒部材が有する前記ヘリコイドねじ山部における前記レンズ鏡胴の光軸方向の撮像側端に、該ヘリコイドねじ山部よりも強度がある補強部材を配設し、該ヘリコイドねじ山部と前記補強部材とが一体として構成され、
前記補強部材の大きさあるいは形状を変更することにより、前記ヘリコイドねじ山部と前記円周方向の溝部とが係合する部位の間隙を調整可能にしたことを特徴とするレンズ鏡胴。
【請求項２】
前記補強部材を前記第２筒部材に圧入したことにより、前記ヘリコイドねじ山部と前記補強部材とが一体として構成されていることを特徴とする請求項１記載のレンズ鏡胴。
【請求項３】
前記補強部材を前記第２筒部材と一体成形したことにより、前記ヘリコイドねじ山部と前記補強部材とが一体として構成されていることを特徴とする請求項１記載のレンズ鏡胴。
【請求項４】
前記補強部材の材質を金属にしたことを特徴とする請求項１〜３いずれか１項記載のレンズ鏡胴。
【請求項５】
前記補強部材の形状を円筒形状または円錐台形状としたことを特徴とする請求項１〜４いずれか１項記載のレンズ鏡胴。
【請求項６】
請求項１〜５のいずれか１項記載のレンズ鏡胴を備えたことを特徴とするカメラ。
【請求項７】
請求項１〜５のいずれか１項記載のレンズ鏡胴を備えたことを特徴とするデジタルカメラ。
【請求項８】
請求項１〜５のいずれか１項記載のレンズ鏡胴を備えたことを特徴とする携帯型情報端末装置。
【請求項９】
請求項１〜５のいずれか１項記載のレンズ鏡胴を備えたことを特徴とする画像入力装置。
【発明の詳細な説明】
【技術分野】
【０００１】
本発明は、撮影レンズを保持して所定方向へ移動させるレンズ鏡胴に係り、そのレンズ鏡胴を備えるカメラ，デジタルカメラ，携帯型情報端末装置，画像入力装置に関するものである。
【背景技術】
【０００２】
レンズ鏡胴は、カメラ本体に装着されている状態、あるいは一眼レフカメラのようにカメラ本体から分離されている状態であっても、常に、誤って落下させたり、あるいは他物に衝突させて衝撃を受けるおそれがある。
【０００３】
特に撮影状態において、撮影レンズの移動をカムフォロアおよびカム溝、もしくはヘリコイド山部および円周方向の溝部により行っているものでは、衝撃によりカムフォロアやヘリコイド山部が倒れたり、カム溝や円周方向の溝部が変形することによって、以後の円滑な作動が不可能となることがある。
【０００４】
このような問題点を解決するため、特許文献１には、筒部材のカム溝の後端部に衝撃受け面を設け、カムフォロアをリング部材と金属ピンとで形成することによって衝撃時の破損を防止する構成にすることが記載され、特許文献２には、筒部材のカム溝の先端内側に金属製の補強環を設けることによって衝撃時の破損を防止する構成にすることが記載され、特許文献３には、移動枠に加わった力を２つの補助部材を介して緩衝させて、ガイドピンに伝わるように構成することが記載されている。
【特許文献１】特許第３２８８９１８号公報
【特許文献２】特開２００３−３４４７４４号公報
【特許文献３】特許第２８６４３６３号公報
【発明の開示】
【発明が解決しようとする課題】
【０００５】
しかし、特許文献１〜３に記載の前記従来技術の何れも、カムフォロアおよびカム溝の補強について開示するものであり、レンズ鏡胴を構成するヘリコイドねじ山が光軸方向に衝撃を受けたときの破壊防止については考慮されていない。
【０００６】
通常、レンズ鏡胴の一方の筒部材のヘリコイドねじ山が、他方の筒部材のヘリコイドねじ谷部と円周方向の溝との両方に係合する場合、ヘリコイドねじ山全体の形状としては、金属ピンのような円柱もしくは円錐台のような形状ではなく、螺旋の一部を切り取った平行四辺形のような独特の形状をしており、このヘリコイドねじ山の全てを金属で作成することは困難である。
【０００７】
よって、前記のようなヘリコイドねじ山は、従来では筒部材の筒部分と同質の樹脂で作成されることがほとんどであった。
【０００８】
本発明は、前記従来の問題に鑑みてなされたものであって、ヘリコイドねじ部分に着目し、光軸方向の力を受けたときにでも破損しにくいレンズ鏡胴を提供すること、および、そのレンズ鏡胴を具備するカメラ，デジタルカメラ，携帯型情報端末，画像入力装置を提供することを目的とする。
【課題を解決するための手段】
【０００９】
前記目的を達成するため、請求項１に記載の発明は、ヘリコイドねじ谷部と、該ヘリコイドねじ谷部から連続する円周方向の溝部とを内周に有する第１筒部材と、前記ヘリコイドねじ谷部に螺合し、かつ前記円周方向の溝部に係合するヘリコイドねじ山部を外周に有する第２筒部材とを備えたレンズ鏡胴であって、前記第２筒部材が有する前記ヘリコイドねじ山部における前記レンズ鏡胴の光軸方向の撮像側端に、該ヘリコイドねじ山部よりも強度がある補強部材を配設し、該ヘリコイドねじ山部と前記補強部材とが一体として構成され、前記補強部材の大きさあるいは形状を変更することにより、前記ヘリコイドねじ山部と前記円周方向の溝部とが係合する部位の間隙を調整可能にしたことを特徴とし、この構成によって、筒部材が光軸方向の力を受けたときにでも、ヘリコイドねじ山部の補強部材の存在により機械強度が増強され、破損しにくい構造となる。さらに、この構成によって、円周方向の溝部との間隙を容易に微調整することができ、第１筒部材と第２筒部材間のガタつきを、個別にあるいは成形型ごとに容易かつ最適に調整することが可能になる。
【００１０】
請求項２に記載の発明は、請求項１記載のレンズ鏡胴において、補強部材を第２筒部材に圧入したことにより、前記ヘリコイドねじ山部と前記補強部材とが一体として構成されていることを特徴とし、この構成によって、接着剤などを用いることなく補強部材の設置が可能になる。
【００１１】
請求項３に記載の発明は、請求項１記載のレンズ鏡胴において、補強部材を第２筒部材と一体成形したことにより、前記ヘリコイドねじ山部と前記補強部材とが一体として構成されていることを特徴とし、この構成によって、接着剤や圧入工程を必要とすることなく補強部材の設置が可能になる。
【００１２】
請求項４に記載の発明は、請求項１〜３いずれか１項記載のレンズ鏡胴において、補強部材の材質を金属にしたことを特徴とし、この構成によって、補強部材の強度を確保することができる。
【００１３】
請求項５に記載の発明は、請求項１〜４いずれか１項記載のレンズ鏡胴において、補強部材の形状を円筒形状または円錐台形状としたことを特徴とし、この構成によって、補強部材の加工が容易で、大幅なコストアップにならない。
【００１６】
請求項６に記載の発明は、請求項１〜５のいずれか１項記載のレンズ鏡胴を備えたことを特徴とするカメラであって、レンズ鏡胴の筒部材が光軸方向の力を受けたときにでも、破損しにくいカメラを提供することができる。
【００１７】
請求項７に記載の発明は、請求項１〜５のいずれか１項記載のレンズ鏡胴を備えたこと
を特徴とするデジタルカメラであって、レンズ鏡胴の筒部材が光軸方向の力を受けたとき
にでも、破損しにくいデジタルカメラを提供することができる。
【００１８】
請求項８に記載の発明は、請求項１〜５のいずれか１項記載のレンズ鏡胴を備えたこと
を特徴とする携帯型情報端末装置であって、レンズ鏡胴の筒部材が光軸方向の力を受けた
ときにでも、破損しにくい携帯型情報端末装置を提供することができる。
【００１９】
請求項９に記載の発明は、請求項１〜５のいずれか１項記載のレンズ鏡胴を備えたこ
とを特徴とする画像入力装置であって、レンズ鏡胴の筒部材が光軸方向の力を受けたとき
にでも、破損しにくい画像入力装置を提供することができる。
【発明の効果】
【００２０】
本発明に係るレンズ鏡胴によれば、ヘリコイドねじ山に材質の異なる補強部材を設けたことにより、ヘリコイドねじ谷部ではなく円周方向の溝部に係合している状態で、光軸方向の力を受けたときにでも破損しにくいレンズ鏡胴とすることができる。
【００２１】
また、本発明に係るレンズ鏡胴を搭載することにより、耐久性に優れ、信頼性の高いカメラ，デジタルカメラ，携帯型情報端末，画像入力装置を提供することができる。
【発明を実施するための最良の形態】
【００２２】
以下、本発明の実施の形態を図面に基づいて説明する。
【００２３】
図１は本発明の実施形態であるカメラのレンズ鏡胴ユニットにおける収納状態を示す斜視図、図２は本実施形態の撮影状態を示す斜視図、図３は本実施形態の収納状態における固定筒を取り除いた状態を上方から見た斜視図、図４は本実施形態の撮影状態における固定筒を取り除いた状態を上方から見た斜視図、図５は本実施形態の収納状態における固定筒のヘリコイド谷部より外側を取り除いた状態を上方から見た斜視図、図６は本実施形態の撮影状態における固定筒のヘリコイド谷部より外側を取り除いた状態を上方から見た斜視図、図７は本実施形態の固定筒と回転筒の係合状態を示す平面図、図８は本実施形態の撮影位置における図７の拡大図、図９は本実施形態の撮影位置における回転筒ヘリコイドねじ山部とヘリコイド補強部材の断面図、図１０は本実施形態の撮影位置における図９の拡大図である。
【００２４】
各図において、１は第１筒部材である固定筒、１ａは固定筒１の筒部内周に設けられたヘリコイド谷部、１ｂは固定筒１の円周方向に設けられた溝部、２は第２筒部材である回転筒、２ａは回転筒２の筒部外周に設けられたヘリコイド山部、２ｂはヘリコイド山部２ａに圧入されたヘリコイド補強部材、３はフレーム、４は回転筒駆動ギヤを示す。
【００２５】
なお、前記ヘリコイド谷部を前記回転筒に設け、また前記ヘリコイド山部を前記固定枠に設けてもよい。
【００２６】
本実施形態では、回転筒２の円周上に略１２０度ごとに配設されたヘリコイド山部２ａに対して、図８〜図１０に示すように、金属で作成されたヘリコイド補強部材２ｂが圧入あるいは一体成形されている。
【００２７】
回転筒２は、回転筒駆動ギヤ４を駆動することにより回転され、図１，図３，図５に示す収納位置において、ヘリコイド谷部１ａとヘリコイド山部２ａとが係合し、図２，図４，図６に示す撮影位置では、固定枠１の円周方向に設けられた溝部１ｂとヘリコイド山部２ａおよびヘリコイド補強部材２ｂが係合する（図７参照）。
【００２８】
前記撮影位置では、溝部１ｂとヘリコイド山部２ａおよびヘリコイド補強部材２ｂが係合しているが、このとき回転筒２は、固定枠１の前方（カメラの前方）に突出しているため、落下衝撃などを受けると略光軸方向から力が加わることがある。
【００２９】
従来のレンズ鏡胴では、ヘリコイド山部２ａは、全て筒部分と同等の樹脂で成形されることが多かったため、強度に優れているものでなく、回転筒２が撮影位置にある状態で落下衝撃が加わると、比較的小さい力でヘリコイド山部２ａが折れてしまうことがあった。
【００３０】
しかし、本実施形態では、図１０に示すように、ヘリコイド山部２ａにヘリコイド補強部材２ｂが圧入されているため、容易にヘリコイド山部２ａが折れることはない。
【００３１】
また、本実施形態では、ヘリコイド補強部材２ｂの設置位置がヘリコイド山部２ａの光軸方向における撮像側端より突出しているため、ヘリコイド山部２ａの形状を修正することなく、ヘリコイド補強部材２ｂの形状を修正することによって、溝部１ｂとのクリアランスを調整することができるため、固定筒１と回転筒２とのガタをより少なくすることができる。このため、略１２０度ごとに配設されたヘリコイド山部２ａおよびヘリコイド補強部材２ｂに対して加わる落下衝撃などの力が分散されやすく、より回転衝撃に強い構造を実現できる。
【００３２】
ヘリコイド補強部材２ｂの形状としては、円筒形状または円錐台形状とすることによって、補強部材の加工が容易であって、大幅なコストアップを招くことにならない。
【００３３】
前記構造により、本実施形態では、ヘリコイドねじ谷部ではなく円周方向の溝に係合している状態において、光軸方向の力を受けたときでも、破損しにくいレンズ鏡胴となり、さらに該レンズ鏡胴を搭載することによって、耐衝撃性に優れたカメラ，デジタルカメラ，携帯型情報端末、および画像入力装置などを提供することができる。
【産業上の利用可能性】
【００３４】
本発明は、銀塩カメラ，デジタルカメラ，携帯型情報端末，画像入力装置などの撮影レンズを用いる各種機器におけるレンズ鏡胴に実施して有効である。
【図面の簡単な説明】
【００３５】
【図１】本発明の実施形態であるカメラのレンズ鏡胴ユニットにおける収納状態を示す斜視図
【図２】本実施形態の撮影状態を示す斜視図
【図３】本実施形態の収納状態における固定筒を取り除いた状態を上方から見た斜視図
【図４】本実施形態の撮影状態における固定筒を取り除いた状態を上方から見た斜視図
【図５】本実施形態の収納状態における固定筒のヘリコイド谷部より外側を取り除いた状態を上方から見た斜視図
【図６】本実施形態の撮影状態における固定筒のヘリコイド谷部より外側を取り除いた状態を上方から見た斜視図
【図７】本実施形態の固定筒と回転筒の係合状態を示す平面図
【図８】本実施形態の撮影位置における図７の拡大図
【図９】本実施形態の撮影位置における回転筒ヘリコイドねじ山部とヘリコイド補強部材の断面図
【図１０】本実施形態の撮影位置における図９の拡大図
【符号の説明】
【００３６】
１  固定筒
１ａ  固定筒に設けられたヘリコイド谷部
１ｂ  固定筒の円周方向に設けられた溝部
２  回転筒
２ａ  回転筒に設けられたヘリコイド山部
２ｂ  ヘリコイド山部に圧入されたヘリコイド補強部材
３  フレーム
４  回転筒駆動ギヤ
【図１】
0005380783.tif 000002
【図２】
0005380783.tif 000003
【図３】
0005380783.tif 000004
【図４】
0005380783.tif 000005
【図５】
0005380783.tif 000006
【図６】
0005380783.tif 000007
【図７】
0005380783.tif 000008
【図８】
0005380783.tif 000009
【図９】
0005380783.tif 000010
【図１０】
0005380783.tif 000011